(57)【要約】【課題】段差のない滑らかなボディラインを形成しつつ、ずり下がりの防止を可能にした補整帯を有する衣類を提供する。【解決手段】  ショーツ１は、本体部１０と、着用者のウエストラインに沿って延在する幅広のベルト２０を備える。ベルト２０の長手方向の右端２０ａと左端２０ｂとは、左右外腹位置で本体部１０に縫着され、右端２０ａと左端２０ｂとの間の部分は本体部１０から遊離している。本体部１０の上端縁１０ａは、腹部中心位置から後中心位置に向かって下方に傾斜し、ベルト２０の下端縁２０ｄは、縫着ラインＡ１，Ａ２の位置から後中心位置に向かって上方に傾斜している。本体部１０とベルト２０とは本体部１０の脇位置で重なり合い、重合領域Ｔを形成する。【選択図】  図２
2008274501.tif 000002
【特許請求の範囲】
【請求項１】
少なくとも着用者の腹部から臀部までを被覆する本体部と、
前記本体部の外側に配置され、着用者のウエストラインに沿って延在する幅広の補整帯とを備え、
前記補整帯と前記本体部とは、前記本体部の脇位置で重なり合い、
前記補整帯の長手方向の両端は、前記本体部の左右外腹位置で丈方向に沿って前記本体部にそれぞれ縫着され、前記補整帯の長手方向の両端の間の部分は、前記本体部から遊離していることを特徴とする補整帯を有する衣類。
【請求項２】
前記本体部の上端縁は、腹部中心位置から後中心位置に向かって下方に傾斜していることを特徴とする請求項１に記載の補整帯を有する衣類。
【請求項３】
着用状態において、前記補整帯の下端縁は、左右外腹位置から後中心位置に向かって上方に傾斜していることを特徴とする請求項１または２に記載の補整帯を有する衣類。
【請求項４】
前記補整帯の長手方向の両端と前記本体部との縫着ライン同士間の距離は、丈方向の上方から下方に向かって広がっていることを特徴とする請求項１〜３のいずれか１項に記載の補整帯を有する衣類。
【発明の詳細な説明】
【技術分野】
【０００１】
本発明は、補整帯を有する衣類に関し、特に体形補整機能を有する補整帯を有する衣類に関する。
【背景技術】
【０００２】
従来、このような分野の技術として、特許第３５５５９３９号公報がある。この公報に記載されたハイウエストガードルは、横方向に伸縮性を有するベルトと、ウエストラインからアンダーバストまでを覆うウエスト布と、腹部と臀部を覆うパンティ布、大腿部を覆う大腿布とを備える。そして、着用者のアンダーバストから大腿部までを完全に被覆することで、ウエストを引き締め、美しいボディライン作りが図られている。
【０００３】
また、特開２００２-３８３０２号公報に記載された女性用ショーツは、伸縮性のある前身頃と後身頃とを備え、前身頃の側端部及び後身頃の側端部を三角形として互いに重ね合わせている。そして、前身頃及び後身頃の側端部上縁と側端部同士の交差点とでこれらの側端部を互いに縫着することで、生地の伸縮性を保ち、着用者の腰骨部への圧迫感や窮屈感を軽減している。
【特許文献１】特許第３５５５９３９号公報
【特許文献２】特開２００２-３８３０２号公報
【特許文献３】実公昭４３-４１７０号公報
【特許文献４】実用新案登録第３０６９４０３号公報
【特許文献５】実公平６-１９５２２号公報
【発明の開示】
【発明が解決しようとする課題】
【０００４】
しかしながら、これらの衣類では、一定の締め付け力を得るため、収縮性を有するベルトやウエストゴムが用いられる。このため、着用時にベルトやウエストゴムが体に食い込み、体にベルトやウエストゴムによる段差が生じ、滑らかなボディラインを形成し難かった。また、着用者が立ったり座ったりする動作の繰り返しによって、衣類が臀部に引きずられ、衣類のずり下がる現象が発生し、快適なはき心地を得られない問題点があった。
【０００５】
本発明は、段差のない滑らかなボディラインを形成しつつ、ずり下がりの防止を可能にした補整帯を有する衣類を提供することを目的とする。
【課題を解決するための手段】
【０００６】
本発明に係る補整帯を有する衣類は、少なくとも着用者の腹部から臀部までを被覆する本体部と、本体部の外側に配置され、着用者のウエストラインに沿って延在する幅広の補整帯とを備え、補整帯と本体部とは、本体部の脇位置で重なり合い、補整帯の長手方向の両端は、本体部の左右外腹位置で丈方向に沿って本体部にそれぞれ縫着され、補整帯の長手方向の両端の間の部分は、本体部から遊離していることを特徴とする。
【０００７】
本発明によれば、補整帯の長手方向の両端は左右外腹位置で本体部に縫着され、長手方向の両端の間の部分は本体部から遊離しているので、着用時に本体部による引き締め力と、補整帯による引き締め力とがそれぞれ生じ、これらの引き締め力は、着用者の腹部を押え、ウエスト周りの肉を引き締める。加えて、本体部と補整帯とは本体部の脇位置で重なり合っているため、脇腹の肉を引き締める力を大きくすることで、脇腹のたるみがちな肉を整えることができる。更に、補整帯が幅広く形成されているので、補整帯による引き締め力が広範囲にわたって腹部とウエスト周りの肉をサポートし、本体部による体への締め付けを軽減することができる。このように本体部による引き締め力と補整帯による引き締め力との協働により、腹部を押さえ、ウエスト周りの肉を引き締め、本体部による段差の発生を確実に防止することができ、滑らかなボディラインを形成することが可能となる。
【０００８】
また、補整帯により本体部を上方向に引き上げる機能を発揮するため、本体部のずり下がりの発生を防止することができる。更に、補整帯の長手方向の両端の間の部分は、本体部から遊離しているので、本体部と補整帯とは、着用者の腹部とウエスト周りの肉をサポートしながら、互いに影響せずそれぞれ着用者の動きに追従することができ、快適なはき心地を得られる。
【０００９】
本発明に係る補整帯を有する衣類において、本体部の上端縁は、腹部中心位置から後中心位置に向かって下方に傾斜していることが好適である。
このようにすれば、本体部の上端縁は、着用者腹部の膨らみの最も大きい位置の上方から臀部の膨らみの最も大きい位置の上方にわたって配置され、着用者の下半身の膨らみの最も大きい位置により引っ掛かられる。従って、臀部に引きずられることに起因する本体部のずり下がりを確実に防止することができ、着用状態での本体部の安定性を高めることができる。
【００１０】
本発明に係る補整帯を有する衣類において、着用状態において、補整帯の下端縁は、左右外腹位置から後中心位置に向かって上方に傾斜していることが好適である。
このようにすれば、補整帯は着用者の体の丸みに好適にフィットしながら、腹部とウエスト周りの肉を引き締めることができる。
【００１１】
本発明に係る補整帯を有する衣類において、補整帯の長手方向の両端と本体部との縫着ライン同士間の距離は、丈方向の上方から下方に向かって広がっていることが好適である。
この場合、補整帯による腹部を上方に引き上げる働きを大きくすることで、腹部の肉を引き締める効果を更に高めることができる。
【発明の効果】
【００１２】
本発明によれば、段差のない滑らかなボディラインを形成しつつ、ずり下がりの防止を可能にした補整帯を有する衣類を提供することができる。
【発明を実施するための最良の形態】
【００１３】
以下、図面を参照しつつ本発明に係る補整帯を有する衣類の実施形態として女性用ショーツの例を詳細に説明する。なお、説明において、上下、左（Ｌ）右（Ｒ）及び前後方向は着用者から見た方向である。
【００１４】
図１〜図４に示すように、ショーツ１は、着用者の肌側に配置され、伸縮性のある生地からなる本体部１０と、本体部１０の外側に縫着された幅広のベルト（補整帯）２０とを備え、着用者の人体にフィットするように形成されている。
【００１５】
本体部１０は、着用者の腹部を覆う腹部布１２と、外腹部から臀部にわたって一体に形成された左右一対の側部布１４Ｌ，１４Ｒと、股部を覆う股布１６と、鼠径部下部位置に対応し股布１６と側部布１４Ｌ，１４Ｒとを連結する裾布１８Ｌ，１８Ｒとから主として構成されている。
【００１６】
本体部１０の上縁には、ウエスト口１１が設けられ、本体部１０の下縁には、着用者の脚を通すための一対の裾口１５Ｌ，１５Ｒが設けられている。また、ウエスト口１１の周りには、着用者のウエストを包囲するウエストゴム１３が縫着により取り付けられている。
【００１７】
ショーツ１の前面において、左側の側部布１４Ｌと右側の側部布１４Ｒとは、ショーツ１の丈方向に延在する縫着ラインＡ１，Ａ２に沿ってそれぞれ腹部布１２に縫着されている。この縫着ラインＡ１，Ａ２は、着用者の左右外腹部に対応する位置に配置され、そして、縫着ラインＡ１と縫着ラインＡ２との間の距離は、ウエスト口１１の位置から裾口１５Ｌ，１５Ｒの位置に向かって広がるようになっている。一方、ショーツ１の背面では、左側の側部布１４Ｌと右側の側部布１４Ｒとは、着用者の脊柱方向に沿って延在する縫着ラインＡ３に沿って互いに縫着されている。なお、本体部１０の生地として、綿、絹、ポリエステル、ポリウレタン等が挙げられる。
【００１８】
ベルト２０は、帯状に形成され、着用者のウエストにフィットするようにウエストラインに沿って配置されている。なお、この場合のウエストラインとは、着用者の外腹部から脇側を経由し、後中心まで延在するラインのことである。ベルト２０は、長手方向に伸縮性を有するレースから形成され、その上に綺麗な模様が施されている。ベルト２０の上端縁２０ｃと下端縁２０ｄとは、それぞれ波状に形成されている。
【００１９】
図４に示すように、ベルト２０の長手方向の一端（右端）２０ａは、縫着ラインＡ１に沿って本体部１０に縫着され、他端（左端）２０ｂは縫着ラインＡ２に沿って本体部１０に縫着されている。そして、ベルト２０の右端２０ａと左端２０ｂとの間の部分は、本体部１０に縫着されず、本体部１０から遊離している。
【００２０】
また、着用状態において、ベルト２０の上端縁２０ｃは、略水平状に延在し、下端縁２０ｄは、本体部１０との縫着ラインＡ１，Ａ２の位置から後中心位置に向かって上方に傾斜している。換言すれば、ベルト２０の幅は、左右外腹位置から後中心位置に向かって小さくなるように形成されている。このようにすれば、ベルト２０は着用者のウエストの丸みに好適にフィットすることができる。
【００２１】
図２示すように、本体部１０の上端縁１０ａは、腹部中心位置から後中心位置に向かって下方に傾斜するように形成されている。好適には、上端縁１０ａは、着用者腹部の膨らみの最も大きい位置の上方から臀部の膨らみの最も大きい位置の上方にわたって配置されている。
【００２２】
このように本体部１０の上端縁１０ａが腹部中心位置から後中心位置に向かって下方に傾斜し、ベルト２０の下端縁２０ｄが縫着ラインＡ１，Ａ２の位置から後中心位置に向かって上方に傾斜することで、本体部１０とベルト２０とは、本体部１０の脇位置で重なり合い、重合領域Ｔを形成する。重合領域Ｔは、外腹位置から後中心位置に向かって幅が徐々に狭くなり、略三角形状に形成されている。そして、着用者の後中心位置近傍において、ベルト２０の下端縁２０ｄと本体部１０の上端縁１０ａとは離間し、空間Ｓを形成している。
【００２３】
以上のように構成されたショーツ１にあっては、ベルト２０の長手方向の右端２０ａと左端２０ｂとが左右外腹位置で本体部１０にそれぞれ縫着され、右端２０ａと左端２０ｂとの間の部分が本体部１０から遊離しているので、着用時にベルト２０による引き締め力Ｆ１と、本体部１０による引き締め力Ｆ２とがそれぞれ生じる（図２参照）。これらの引き締め力Ｆ１，Ｆ２は、着用者の腹部を押えることができると共に、ウエスト周りの肉を引き締めることができる。
【００２４】
また、本体部１０とベルト２０とは、本体部１０の脇位置で重合領域Ｔを形成しているので、この二重構造を有する重合領域Ｔは、脇腹を引き締める力を大きくすることで、脇腹のたるみがちな肉をしっかりサポートし、シャープな脇ラインを形成することが可能となる。加えて、ベルト２０の右端２０ａと本体部１０との縫着ラインＡ１と、左端２０ｂと本体部１０との縫着ラインＡ２との間の距離は、ウエスト口１１の位置から裾口１５Ｌ，１５Ｒの位置に向かって広がっているため、ベルト２０による腹部を上方に引き上げる働きを大きくすることができ、腹部の肉を引き締める効果を更に高めることができる。更に、ベルト２０が幅広く形成されるので、ベルト２０による引き締め力Ｆ１が広範囲にわたって着用者の腹部とウエスト周りの肉をサポートすることができ、本体部１０による体への締め付けを軽減することができる。
【００２５】
このように本体部１０による引き締め力Ｆ２と本体部ベルト２０による引き締め力Ｆ１との協働により、着用者の腹部をしっかり押さえ、ウエスト周りの肉を引き締めることができる。その結果、従来のように段差の発生を確実に防止し、滑らかなボディラインを容易に形成できる。従って、仮に体にピッタリしたパンツ等を着用した場合でも、パンツ等にひびかず、自然なシルエットを演出することができる。
【００２６】
また、ベルト２０による引き締め力Ｆ２は、本体部１０を上方向に引き上げる効果をもたらすため、本体部１０のずり下がりの発生を防止することができる。更に、ベルト２０の長手方向の右端２０ａと左端２０ｂとの間の部分は、本体部１０に縫着されず遊離しているので、本体部１０とベルト２０とは、着用者の腹部とウエスト周りの肉をサポートしながら、互いに影響せずそれぞれ着用者の動きに追従することができ、快適なはき心地を得られる。
【００２７】
更に、本体部１０の上端縁１０ａは、腹部中心位置から後中心位置に向かって下方に傾斜し、着用者腹部の膨らみの最も大きい位置の上方から臀部の膨らみの最も大きい位置の上方にわたって配置されるため、上端縁１０ａは、着用者の腹部の最も盛り上がり及び臀部の最も盛り上がりにより引っ掛かられる。その結果、着用者が立ったり座ったりする動作の繰り返しに起因する本体部１０のずり下がりを確実に防止することができ、着用状態での本体部１０の安定性を高めることができる。
【００２８】
以下、図５及び図６を参照し、ショーツ１を着用した着用者が腰を屈める時のショーツ１の動きを説明する。
【００２９】
図５示すように、着用者が直立姿勢から腰をかがめると、臀部がカーブを描きながら伸びる。そして、本体部１０の後ウエスト部１０ｂは、臀部の伸びに従い下方に移動する。一方、ベルト２０は、その長手方向の右端２０ａと左端２０ｂとの間の部分が本体部１０から遊離しているため、本体部１０に引っ張られず、直立姿勢時と略同じ位置に位置する。
【００３０】
これによって、ベルト２０の下端縁２０ｄと本体部１０の上端縁１０ａとの間の空間Ｓが大きくなる。そして、着用者が更に腰を低くかがめると、臀部の伸びが更に大きくなり、本体部１０の後ウエスト部１０ｂは更に下方に移動することで、空間Ｓが更に大きくなる（図６参照）。
【００３１】
この場合、ベルト２０に綺麗な模様が施され、ベルト２０の下端縁２０ｄが波状に形成されているため、仮にベルト２０の下部が露出しても、その露出した部分はショーツ１の一部には見えず、上半身インナー（例えば、キャミソール）の一部として見えるようになるので、「見せる下着」としてのファッション性を高める効果を発揮する。
【００３２】
また、本体部１０の上端縁１０ａは、着用者の腹部の最も盛り上がり及び臀部の最も盛り上がりにより引っ掛かられるので、本体部１０の後ウエスト部１０ｂが臀部の伸びに従い下方に移動しても、本体部１０は臀部によって引きずられない。従って、着用者が腰をかがめる姿勢から直立姿勢に戻ると、本体部１０は、図２に示すような状態に復元する。すなわち、ショーツ１は、着用者が立ったり座ったりする動作の繰り返しに起因するずり下がりの発生を確実に防止することができる。
【００３３】
本発明は、上記の実施形態に限定されるものではない。例えば上記の実施形態では、女性用ショーツの例を挙げて説明したが、これに限らず、ガードルやボディスーツなどの補整帯を有する衣類にも適用される。また、女性用補整帯を有する衣類に限定されず、男性用補整帯を有する衣類にも適用される。
【図面の簡単な説明】
【００３４】
【図１】実施形態に係るショーツを着用した状態を示す正面図である。
【図２】実施形態に係るショーツを着用した状態を示す側面図である。
【図３】実施形態に係るショーツを着用した状態を示す背面図である。
【図４】ショーツを示す分解斜視図である。
【図５】腰をかがめる時のショーツの動きを示す斜視図である。
【図６】腰をかがめる時のショーツの動きを示す斜視図である。
【符号の説明】
【００３５】
１…ショーツ、１０…本体部、１０ａ…上端縁、２０…ベルト（補整帯）、２０ａ…右端、２０ｂ…左端、２０ｄ…下端縁、Ａ１，Ａ２…縫着ライン。
【図１】
2008274501.tif 000003
【図２】
2008274501.tif 000004
【図３】
2008274501.tif 000005
【図４】
2008274501.tif 000006
【図５】
2008274501.tif 000007
【図６】
2008274501.tif 000008